(57)【要約】【課題】狭い作業スペースでも使用可能なノックピン抜き治具を提供する。【解決手段】ノックピン抜き治具は、雌ねじ付きノックピンに挿入される雄ねじの頭部に係合する係合部と螺合部とを備える移動体と、該移動体の螺合部と螺合する送りねじと、該送りねじの頭部を旋回可能に支持するとともに該送りねじの頭部と脚部との間で該移動体を該送りねじの長手方向に移動可能に収容するケースと、を備える。【選択図】図１
2016179519.tif 000002
【特許請求の範囲】
【請求項１】
雌ねじ付きノックピンに挿入される雄ねじの頭部に係合する係合部と螺合部とを備える移動体と、
該移動体の螺合部と螺合する送りねじと、
該送りねじの頭部を旋回可能に支持するとともに、該送りねじの頭部と脚部との間で該移動体を該送りねじの長手方向に移動可能に収容するケースと、
を備えるノックピン抜き治具。
【請求項２】
前記ケースは、前記送りねじの頭部を支持する頭部支持壁と、該頭部支持壁に対向して該送りねじの脚部を支持する脚部支持壁と、該頭部支持壁と該脚部支持壁の間で延在して前記移動体を保持する対向する側壁とを有する枠体である請求項１に記載のノックピン抜き治具。
【請求項３】
前記ケースの脚部支持壁は、前記送りねじの脚部を支持する支持部と、該脚部支持壁の四隅から突出した突出部とを有する請求項２または３に記載のノックピン抜き治具。
【発明の詳細な説明】
【技術分野】
【０００１】
本発明は、ワークの外表面に嵌合保持され、そのワークを他のワークと位置決めする際に使用されるノックピンの引き抜き治具に関する。
【背景技術】
【０００２】
金型等のワークの交換や調整等の際にノックピンを抜き取るために、ノックピン抜き治具が使用される。特許文献１に記載のノックピン抜き治具は雌ねじ付きノックピンに挿入される雄ねじの頭部を挟持することができ、この状態で治具全体をワークから引き離すことによってノックピンをワークから引き抜くことができる。
【先行技術文献】
【特許文献】
【０００３】
【特許文献１】特開２００９−１４２９６５号公報
【発明の概要】
【発明が解決しようとする課題】
【０００４】
上記のノックピン抜き治具を用いてノックピンを引き抜く場合、引き抜くノックピンの長さだけ治具をワークから引き離す必要があるため、引き抜き方向に作業スペースを確保する必要があった。
【０００５】
本発明は、狭い作業スペースで使用可能なノックピン抜き治具を提供することを目的とする。
【課題を解決するための手段】
【０００６】
本発明のノックピン抜き治具は、雌ねじ付きノックピンに挿入される雄ねじの頭部に係合する係合部と螺合部とを備える移動体と、該移動体の螺合部と螺合する送りねじと、該送りねじの頭部を旋回可能に支持するとともに該送りねじの頭部と脚部との間で該移動体を該送りねじの長手方向に移動可能に収容するケースと、を備える。
【０００７】
上記のノックピン抜き治具では、雌ねじ付きのノックピンに挿入される雄ねじの頭部に移動体の係合部を係合させることができる。また、送りねじはその頭部をケースに支持された状態で旋回させることができる。移動体は螺合部において送りねじと螺合するとともに送りねじの頭部と脚部との間でケースに収容されており、送りねじを旋回させると、移動体は、ケースに収容された状態で送りねじの長手方向に沿って、その頭部と脚部との間で移動する。送りねじを旋回させて移動体を送りねじの脚部側から頭部側に移動させることによってノックピンを引き抜くことができる。ノックピン抜き治具全体を移動させることなく移動体のみを移動させてノックピンを引き抜くことができるため、ノックピンの長さを見込んで作業スペースを確保する必要がなく、作業スペースを大幅に縮小することができる。例えば、従来のようにノックピン抜き治具全体を上方に移動させてノックピンを引き抜く場合には、少なくとも、ワークの上面から、ノックピンの全長とノックピン抜き治具の合計値以上は作業スペースを確保する必要があった。これに対して、本発明のノックピン抜き治具では、移動体のみをノックピンの全長分だけを上方に移動させることでノックピンをワークから引き抜くことができるため、作業スペースは、ワークの上面からノックピン抜き治具と同程度あれば十分である。また、ノックピン抜き治具によれば、送りねじを旋回することで移動体を緩やかにその引き抜き方向に移動させながらノックピンを引き抜くことができる。このため、ノックピンを引き抜く際にワークが強い衝撃を受けて変動することを抑制できる。また、本発明のノックピン抜き治具は、３つの部材によって構成されており、部品点数が少ない。
【０００８】
上記のノックピン抜き治具では、前記ケースは、前記送りねじの頭部を支持する頭部支持壁と、該頭部支持壁に対向して該送りねじの脚部を支持する脚部支持壁と、該頭部支持壁と該脚部支持壁との間に延在して前記移動体を保持する対向する側壁とを有する枠体であってもよい。ケースが枠体であるため、その開放されている方向から目視等により監視しながらノックピンの引き抜き作業を行うことができ、作業性が向上する。また、ねじを緩める方向に送りねじを旋回させて送りねじと移動体とを分離すれば、枠体であるケースの開放されている方向から移動体を引き抜いて交換することもできる。
【０００９】
前記ケースの脚部支持壁は、前記送りねじの脚部を支持する支持部と、該支持部の四隅から突出した突出部とを有していてもよい。ノックピンが嵌合保持されたワークに対して突出部で接する一方で、送りねじの脚部を支持する支持部では接しないようにすることで、送りねじが旋回する際にノックピン抜き治具が送りねじと一緒に回転することを防ぐことができる。また、送りねじが旋回する際には、支持部の四隅から突出する４つの突出部がワークに押しつけられ、そのうちの１つの突出部が送りねじの旋回による回転運動の部回転中心となるとともに、その対角に位置する他の突出部に回転モーメントが作用し、ワークと突出部との間に静止摩擦力が発生する。これによって、送りねじを旋回させた際にワーク上でノックピン抜き治具が滑ることを抑制できる。
【図面の簡単な説明】
【００１０】
【図１】実施例のノックピン抜き治具の斜視図である。
【図２】実施例のノックピン抜き治具の平面図である。
【図３】ＩＩＩ−ＩＩＩ線で切断した実施例のノックピン抜き治具の縦断面図である。
【図４】実施例のノックピン抜き治具の側面図である。
【図５】実施例のノックピン抜き治具の底面図である。
【図６】移動体の斜視図である。
【図７】実施例のノックピン抜き治具の縦断面図であり、ノックピンの雌ねじに雄ねじを挿入し、雄ねじの頭部にノックピン抜き治具の移動体の係合部を係合させた状態を示す。
【図８】実施例のノックピン抜き治具の側面図であり、ノックピンの雌ねじに雄ねじを挿入し、雄ねじの頭部にノックピン抜き治具の移動体の係合部を係合させた状態を示す。
【図９】実施例のノックピン抜き治具の縦断面図であり、図７の状態から移動体をノックピンの引き抜き方向に移動した状態を示す。
【図１０】実施例のノックピン抜き治具の側面図であり、図８の状態から移動体をノックピンの引き抜き方向に移動した状態を示す。
【発明を実施するための形態】
【００１１】
本明細書が開示するノックピン抜き治具は、ワークの外表面に嵌合保持され、そのワークを他のワークと位置決めする際に使用される雌ねじ付きノックピンに雄ねじを挿入して引き抜くために用いられる。
【００１２】
上記のノックピン抜き治具は、送りねじと、移動体と、ケースとを備えている。送りねじは、雄ねじ状の部材であればよく、市販のボルト等を用いることができる。移動体は係合部と螺合部とを備え、螺合部において送りねじと螺合している。係合部は、ノックピンに挿入される雄ねじの頭部に係合可能な形状を有していればよく、螺合部は、雄ねじ状の送りねじと螺合するための雌ねじが形成されていればよい。また、移動体は、係合部と螺合部とを一体に形成したものであっても、別の部材として製造したものを互いに固定したものであってもよい。ケースは、送りねじの頭部のみを支持するものであってもよいが、送りねじの頭部と脚部の双方を支持する場合には、ノックピンを抜く作業をより安定に実行することができる。また、ケースは、送りねじが旋回した際に移動体が送りねじの旋回に連れ回ることを抑制できる状態に移動体を収容し、移動体が送りねじの長手方向に沿って移動可能に案内するものであればよい。例えば、移動体がケースの内面に接しており、送りねじを旋回させると移動体はケースに対して摺動するものであってもよい。また、移動体がケース内に遊嵌されていて、送りねじが旋回した際に移動体がケースの内面に当接等して係合し、移動体が送りねじの旋回に連れ回ることを抑制するものであってもよい。
【実施例】
【００１３】
図１〜５に示すように、実施例に係るノックピン抜き治具１００は、移動体１１０と、送りねじ１３０と、ケース１５０とを備えている。送りねじ１３０は雄ねじ状の部材であり、市販のボルト等を送りねじ１３０として用いることができる。移動体１１０は係合部１１２と螺合部１１４とを備え、螺合部１１４において送りねじ１３０と螺合している。ケース１５０はｙ方向が開放した枠体である。ケース１５０は、送りねじ１３０の頭部１３２を支持する頭部支持壁１５６と、送りねじ１３０の脚部１３４を支持する脚部支持壁１５８と、頭部支持壁１５６と脚部支持壁１５８との間に延在して移動体１１０を保持する対向する側壁１５２，１５４とを有する。送りねじ１３０は、その長手方向（図１等に示すｚ方向）にケース１５０の頭部支持壁１５６と脚部支持壁１５８とを貫通している。送りねじ１３０は、ケース１５０の頭部支持壁１５６および脚部支持壁１５８によって旋回可能に支持されている。
【００１４】
図６に示すように、移動体１１０の螺合部１１４は、螺合部１１４をｚ方向に貫通する略円筒状の貫通孔１１４ａを有し、貫通孔１１４ａの内表面は、送りねじ１３０と螺合可能にねじが刻まれている。係合部１１２は、螺合部１１４からｙ方向の両側に略Ｕ字状に延びている。係合部１１２において、ｙ軸の正方向の略Ｕ字状部分は、ｙ軸の負方向の略Ｕ字状部分とその大きさが相違しており、異なるサイズの雄ねじにそれぞれ係合できる。係合部１１２と螺合部１１４は互いに固定されており、そのｘ方向の両端面においてケース１５０の側壁１５２，１５４に摺動可能に接している。
【００１５】
送りねじ１３０と螺合部１１４の貫通孔１１４ａとが螺合した状態で送りねじ１３０が旋回すると、側壁１５２と側壁１５４との間で送りねじ１３０の長手方向（ｚ方向）に沿って移動体１１０全体が摺動する。送りねじ１３０をねじを締める方向（頭部１３２側から見て時計回りの方向）に旋回すると移動体１１０は送りねじ１３０の頭部１３２の方向（ｚ軸の正方向）に移動する。送りねじ１３０をねじを緩める方向（頭部１３２側から見て反時計回りの方向）に旋回すると移動体１１０は送りねじ１３０の脚部１３４の方向（ｚ軸の負方向）に移動する。
【００１６】
図５に示すように、ケース１５０の脚部支持壁１５８は、ｙ方向の両側において略Ｕ字状に窪んでおり、全体として略Ｈ字形状を有している。脚部支持壁１５８のｙ方向の両側に設けられた略Ｕ字状部分は、移動体１１０の係合部１１２のｙ方向の両側に設けられた略Ｕ字状部分よりも大きく形成されている。脚部支持壁１５８の中央部には孔部１６６が設けられており、送りねじ１３０の脚部１３４が孔部１６６に挿入されている。脚部支持壁１５８の中央部からｙ方向の両側にそれぞれ２つずつの延在部が延びている。脚部支持壁１５８は、支持部１６２と、４つの突出部１６４ａ〜１６４ｄとを有している。支持部１６２は、送りねじ１３０の脚部１３４を支持している。突出部１６４ａ〜１６４ｄは、脚部支持壁１５８の四隅からｚ軸の負方向に突出しており、は、延在部の先端となる位置に設けられている。突出部１６４ａ〜１６４ｄは、支持部１６２よりも下方（ｚ軸の負方向）に０．１ｍｍ〜０．２ｍｍ程度突出している。
【００１７】
図７〜図１０を用いて、ノックピン抜き治具１００を使用してワーク５００に嵌合保持されたノックピン３００を引き抜く方法について説明する。なお、ノックピン３００の長手方向（図７等に示すｚ方向）の全長が８０ｍｍであり、ノックピン抜き治具１００の長手方向の全長が１２０ｍｍである場合を例示して説明する。また、図７等に示すｚ軸の正方向を上方向とし、ｚ軸の負方向を下方向として説明する場合がある。
【００１８】
ノックピン３００には、雌ねじ３１０が設けられており、雌ねじ３１０に雄ねじ４００をねじ込むことができる。雄ねじ４００の全長は雌ねじ３１０の全長よりも長く、雌ねじ３１０に螺合させて固定したとき、その頭部および胴部がノックピン３００から露出して延びた状態となる。雄ねじ４００としては、雌ねじ３１０に応じて、ねじ径（たとえば、Ｍ５，Ｍ６，Ｍ８等）を選んで使用すればよく、広く一般に使用される市販のボルト等を用いることができる。
【００１９】
まず、雌ねじ３１０に雄ねじ４００を螺合した固定した後、図７，８に示すように、移動体１１０をケース１５０の脚部支持壁１５８に接する位置まで移動させた状態で、ケース１５０の脚部支持壁１５８および係合部１１２のＵ字状の窪みにｙ方向に雄ねじ４００の胴部を差し入れて嵌め込む。このとき、係合部１１２のＵ字状の端部の上面に雄ねじ４００の頭部が係合していることが好ましい。また、脚部支持壁１５８は、突出部１６４ａ〜１６４ｄにおいてワーク５００の上面に接しており、支持部１６２においてワーク５００の上面と離間している。
【００２０】
次に、ノックピン抜き治具１００を上方からワーク５００に押しつけながら、図９，１０に示すように、送りねじ１３０をねじを締める方向に旋回させて、移動体１１０をケース１５０の側壁１５２，１５４に保持された状態で上方に摺動させる。ノックピン抜き治具１００は４つの突出部１６４ａ〜１６４ｄにおいてワーク５００の上面に接しているため、送りねじ１３０を旋回させると、突出部１６４ａを回転中心としてその対角に位置する突出部１６４ｄに回転モーメントが作用し、ワーク５００の上面と突出部１６４ｄの下面との間に静止摩擦力が発生する。これによって、送りねじ１３０を旋回させた際にワーク５００の上面でノックピン抜き治具１００が滑ることを抑制できる。なお、ケース１５０は、ｙ方向が開放された枠体であるから、ｙ方向からノックピン３００を抜き取る過程における移動体１１０等の様子を目視で監視しながら作業することができる。また、ねじを緩める方向に送りねじ１３０を旋回させて送りねじ１３０と移動体１１０とを分離すれば、枠体の開放されている方向から移動体１１０を引き抜いて交換することもできる。
【００２１】
係合部１１２のＵ字状の端部の上面に雄ねじ４００の頭部が係合している状態で、移動体１１０が上方に移動すると、ノックピン３００の引き抜きが開始される。さらに、送りねじ１３０を旋回させると、図９，１０に示すように、移動体１１０はさらに上方に移動する。その結果、移動体１１０の係合部１１２に係合する雄ねじ４００は上方に移動し、雄ねじ４００に螺合して固定されたノックピン３００も併せて上方に移動する。移動体１１０のみが上方に移動することによってノックピン３００を上方に移動させることができ、ノックピン３００を引き抜く前後においてノックピン抜き治具１００の全長が変化することもない。
【００２２】
ノックピン３００の全長８０ｍｍだけ移動体１１０を上方に移動させると、ノックピン３００をワーク５００から引き抜くことができる。このため、作業スペースは、ワーク５００の上面から１３０ｍｍ程度（ノックピン抜き治具１００の全長１２０ｍｍよりも１０ｍｍ長い程度）あれば十分である。従来のようにノックピン抜き治具全体を上方に移動させてノックピンを引き抜く場合には、少なくとも、ノックピンの全長（例えば８０ｍｍ）とノックピン抜き治具（例えば１２０ｍｍ）の合計値である２００ｍｍは確保する必要があった。本実施例のノックピン抜き治具１００を用いれば、作業スペースを大幅に縮小することができる。なお、ノックピン３００を係合部１１２から取り外して、送りねじ１３０をねじを緩める方向に旋回させれば、移動体１１０をケース１５０の脚部支持壁１５８に接する位置まで移動させることができ、再度、ノックピン３００を引き抜くことが可能な状態に戻る。
【００２３】
上記のとおり、実施例のノックピン抜き治具１００によれば、雌ねじ付きのノックピン３００に挿入される雄ねじ４００をｙ方向から移動体１１０の係合部１１２に容易に係合させることができる。また、ノックピン３００を引き抜く途中で異常が認められた場合には雄ねじ４００を簡単に係合部１１２から取り外して作業を中断することも可能である。また、ねじを緩める方向に送りねじ１３０を旋回させて送りねじ１３０と移動体１１０とを分離すれば、枠体であるケース１５０の開放されている方向から移動体１１０を引き抜いて交換することもできる。
【００２４】
また、ノックピン抜き治具１００によれば、送りねじ１３０を旋回することで移動体１１０を緩やかに上方に移動させながらノックピン３００を引き抜くため、ノックピン３００を引き抜く際にワーク５００が強い衝撃を受けて変動することを抑制できる。また、移動体１１０のみを移動させてノックピン３００を引き抜くことができるため、ノックピン３００の長さを見込んで作業スペースを確保する必要がない。
【符号の説明】
【００２５】
１００  ：ノックピン抜き治具
１１０  ：移動体
１１２  ：係合部
１１４  ：螺合部
１３０  ：送りねじ
１３２  ：頭部
１３４  ：脚部
１５０  ：ケース
１５２，１５４  ：側壁
１５６  ：頭部支持壁
１５８  ：脚部支持壁
１６２  ：支持部
１６４ａ〜１６４ｄ  ：突出部
３００  ：ノックピン
４００  ：雄ねじ
５００  ：ワーク
【図１】
2016179519.tif 000003
【図２】
2016179519.tif 000004
【図３】
2016179519.tif 000005
【図４】
2016179519.tif 000006
【図５】
2016179519.tif 000007
【図６】
2016179519.tif 000008
【図７】
2016179519.tif 000009
【図８】
2016179519.tif 000010
【図９】
2016179519.tif 000011
【図１０】
2016179519.tif 000012